(57)【要約】  【課題】加湿フィルタへの水の供給・停止を簡単に設定することができる加湿装置を提供する。  【解決手段】装置本体１の吸込口２から吸込んだ空気を吹出口３に送る送風手段４と、該送風手段４により送られた空気を加湿する加湿フィルタ５と、該加湿フィルタ５の下部を浸漬する加湿トレイ６とを備え、加湿フィルタ５は、装置本体１に回転軸を中心として回転自在に支持されると共に、その回転軸中心から外周までの距離が不均一な楕円形に形成し、加湿フィルタ５を所定位置に停止したときに、加湿トレイ６内の水と非接触となるようにし、加湿フィルタへの水の供給・停止を簡単に設定する。  【選択図】  図１
2008064433.tif 000002
【特許請求の範囲】
【請求項１】
装置本体の吸込口から吸込んだ空気を吹出口に送る送風手段と、該送風手段により送られた空気を加湿する加湿フィルタと、該加湿フィルタの下部を浸漬する加湿トレイとを備え、
前記加湿フィルタは、装置本体に回転軸を中心として回転自在に支持されると共に、その回転軸中心から外周までの距離を不均一とし、前記加湿フィルタを所定位置で停止したときに、前記加湿トレイ内の水と非接触であることを特徴とする加湿装置。
【請求項２】
前記加湿フィルタは、その回転軸の軸方向からみたときに楕円形であることを特徴とする請求項１に記載の加湿装置。
【請求項３】
前記加湿フィルタは、その回転軸の軸方向からみたときに長方形であることを特徴とする請求項１に記載の加湿装置。
【請求項４】
前記加湿フィルタは、その回転軸の軸方向が通風方向とされたことを特徴とする請求項１に記載の加湿装置。
【請求項５】
前記加湿フィルタは、その外周部に水を掻き揚げて保持する水掻き部が形成されたことを特徴とする請求項１〜４のいずれかに記載の加湿装置。
【発明の詳細な説明】
【技術分野】
【０００１】
本発明は、加湿フィルタに吸水した水を気化して空気を加湿する加湿装置に関するものである。
【背景技術】
【０００２】
この種の加湿装置として、加湿フィルタの下部を水没させ、毛管現象により加湿フィルタに吸水する方式と、加湿フィルタの上部から水を垂らし、加湿フィルタの下部に溜まった水を再び加湿フィルタの上部まで押し上げて水を強制的に循環させながら加湿フィルタに供給する方式がある。
【０００３】
さらに、特許文献１では、円盤状の加湿フィルタを回転させることにより、加湿フィルタ全体に水をまんべんなく行き渡らせ、短時間で加湿フィルタ全体に水を含ませる加湿装置が開示されている。
【特許文献１】特開2003-294277号公報
【発明の開示】
【発明が解決しようとする課題】
【０００４】
ところで、上述の自然吸水方式の場合、吸上げる高さに限界があるため、加湿フィルタの高さに制約を受ける。また、加湿フィルタの保水量を調整することができず、加湿量は通風量に委ねられるといった難点があった。
【０００５】
また、水循環方式の場合、加湿フィルタに垂らす水量の調整が困難であり、また、水を循環させるポンプおよび循環流路が必要となり、装置自体が高価になるといった難点がある。
【０００６】
さらに、特許文献１の回転式加湿フィルタの場合、加湿フィルタの外周部に水掻き部が形成され、水掻き部の一部が加湿トレイ内に水没するものの、フィルタ本体全体が常時水没しない位置に回転可能に設けられ、これにより、加湿フィルタの回転が停止して、水掻き部からフィルタ本体への水の供給が停止されるようになっている。しかし、特許文献１では、加湿トレイに常時水掻き部の一部を水没させ、かつフィルタ本体は水没させないよう、その位置を設定しなければならないので、加湿フィルタの高さ調整が非常に難しくなるといった難点があった。
【０００７】
本発明は、上記に鑑み、加湿フィルタへの水の供給／停止を簡単に設定することができる加湿装置の提供を目的とする。
【課題を解決するための手段】
【０００８】
上記目的を達成するため、本発明は、装置本体の吸込口から吸込んだ空気を吹出口に送る送風手段と、該送風手段により送られた空気を加湿する加湿フィルタと、該加湿フィルタの下部を浸漬する加湿トレイとを備え、前記加湿フィルタは、装置本体に回転軸を中心として回転自在に支持されると共に、その回転軸中心から外周までの距離を不均一とし、前記加湿フィルタを所定位置で停止したときに、前記加湿トレイ内の水と非接触であることを特徴とする。
【０００９】
上記構成によると、回転式の加湿フィルタにより、まんべんなく加湿フィルタに水を供給することができ、短時間で加湿フィルタ全体に水を含ませることができる。しかも、加湿フィルタの回転軸中心から外周までの距離を不均一としたので、加湿フィルタを所定位置で停止したときに、加湿トレイ内の水と非接触な状態とすることができる。すなわち、加湿フィルタを加湿トレイの水面から浮かせることができ、加湿フィルタの高さ調整も容易に行うことができる。
【００１０】
ここで、加湿フィルタの回転軸中心から外周までの距離を不均一とするとは、例えば、加湿フィルタを、その回転軸の軸方向からみたときに楕円形に形成する、あるいは長方形に形成することが挙げられる。楕円形の場合は長軸が上下方向に位置するときに加湿トレイに水没させ、短軸が上下方向に位置するときに加湿トレイの水面から浮かせることができる。また、長方形の場合、長辺が垂直方向に位置するときに加湿トレイに水没させ、短辺が垂直方向に位置するときに加湿トレイの水面から浮かせることができる。
【００１１】
また、加湿フィルタは、その回転軸の軸方向を通風方向とすることで、加湿量を高く維持することができる。
【００１２】
また、加湿フィルタは、その外周部に水を掻き揚げて保持する水掻き部を形成することができる。この水掻き部は、加湿フィルタの回転に伴なって加湿トレイから水を確実に汲み上げることができる。そのため、加湿トレイの水没量が少量でも加湿フィルタに確実に水を供給することができる。
【発明の効果】
【００１３】
以上のとおり、本発明によると、加湿フィルタを長方形や楕円形に形成して、回転軸中心から外周までの距離を不均一としたので、加湿フィルタを所定位置で停止したときに、加湿トレイ内の水と容易に非接触な状態とすることができ、加湿フィルタの高さ調整も容易に行うことができる。
【発明を実施するための最良の形態】
【００１４】
以下、本発明の実施形態を図面に基づいて説明する。図１は本発明の実施形態を示す加湿装置の概略構成を示す正面図、図２は同じくその平面断面図、図３は加湿フィルタの概略構成図である。
【００１５】
本実施形態の加湿装置は、装置本体１の吸込口２から吸込んだ空気を吹出口３に送る送風手段４と、該送風手段４により送られた空気を加湿する加湿フィルタ５と、該加湿フィルタ５の下部を浸漬する加湿トレイ６とを備え、加湿フィルタ５は、装置本体１に回転軸７を中心として回転自在に支持されると共に、その回転軸中心から外周までの距離を不均一とする楕円形に形成され、加湿フィルタ５を所定位置で停止したときに、前記加湿トレイ６内の水と非接触となるようにしたものである。
【００１６】
機器本体１は、縦長の箱状に形成され、その前面パネル１ａに空気を吸込む空気吸込口２が形成される。機器本体１の内部は、空気吸込口２の後方に配置されたフィルタ収納室８と、そのさらに後側に形成されたファン収納室９と、ファン収納室９の側方に形成されたタンク収納室１０とに区画形成される。そして、装置本体１内の空気通路は、空気吸込口２からフィルタ収納室８、ファン収納室９を通って装置本体上面の空気吹出口３に至るようになっている。
【００１７】
加湿フィルタ５は、回転軸７を中心に回転する楕円状のフィルタ本体１１と、その外周部の全周に渡って樋状に形成された水掻き部１２とを備え、ステッピングモータ等の回転駆動モータ１３により回転される。
【００１８】
フィルタ本体１１は、吸水性のある所定厚みの不織布がジグザグ状に形成されたものであって、フィルタ面に吸水した水分を気化させるようにしたものである。
【００１９】
加湿トレイ６には、その左右方向の端部側で水タンク１４から水が供給される。水タンク１４は加湿用の水が貯水され、タンク収納室１０に着脱可能に立設されている。水タンク１４の下端のジョイント部１５に止水弁１６が設けられ、水タンク１４を加湿トレイ６に装着すると、加湿トレイ６の給水口の弁押さえが止水弁１６を開いて、水タンク１４の水が加湿トレイ６に供給されるようになっている。そして、水タンク１４を取り外すと、止水弁１６が閉じて漏水が防止されるようになっている。
【００２０】
送風手段４は、装置本体１のファン収納部９に設けられたシロッコファン１８と、ファンモータ１９とから構成される。送風手段４は、加湿を多量に発生させるときには風量を多くし、加湿を少量にするときには風量を少なくするようファンモータ１９の回転数が制御される。
【００２１】
また、ファン収納部９には、ファン１８よりも送風方向で下流側に正負のイオンを発生するイオン発生素子（不図示）を配置してもよい。イオン発生素子は、空気中にプラスイオンであるＨ+（Ｈ2Ｏ）ｍと、マイナスイオンであるＯ2−（Ｈ2Ｏ）ｎ（ｍ、ｎは任意の自然数）を発生させる。両イオンが空気中の浮遊カビやウィルスの周りを取り囲み、その際に生成される活性種の水酸基ラジカル（・ＯＨ）の作用により、カビ菌等を不活化する。
【００２２】
上記構成において、送風手段４が駆動されると、空気吸込口２から装置本体１内に室内の空気が取り込まれる。吸込口２から取り込まれた空気は、加湿フィルタ５に供給され、加湿フィルタ５に保持された水分が気化して空気通路を流通する空気に取り込まれる。この加湿された空気は、フィルタ収納室８からファン収納室９に流入し、吹出口３から室内に放出される。
【００２３】
このとき、加湿フィルタ５は、回転式であるため、加湿トレイ６内の水を水掻き部１２が掻き揚げ、フィルタ本体１１に供給するので、短時間で加湿フィルタ全体に水を含ませることができる。しかも、加湿フィルタ５は、その回転軸７中心から外周までの距離を不均一となる楕円形に形成しているので、加湿フィルタ５を所定位置で停止したときに、加湿トレイ６内の水と非接触な状態となる。そのため、加湿フィルタをすぐに乾くようになり、雑菌の繁殖を抑えることができる。
【００２４】
なお、本発明は上記実施形態に限定されるものではなく、本発明の範囲内で多くの修正・変更を加えることができるのは勿論である。例えば、上記実施形態では、楕円形の加湿フィルタを例示したが、これ以外に長方形、三角形、Ｄ形などの異形形状の加湿フィルタであってもよい。また、上記実施形態に加えて、加湿フィルタよりも送風方向で上流側に空気を加熱する加熱体を設け、加温して空気を加湿フィルタに供給することにより、加湿量を増加させるようにしてもよい。
【図面の簡単な説明】
【００２５】
【図１】本発明の実施形態を示す加湿装置の概略構成を示す正面図
【図２】図１の加湿装置の概略構成を示す平面断面図
【図３】加湿フィルタの概略構成図
【符号の説明】
【００２６】
１    装置本体
２    吸込口
３    吹出口
４    送風手段
５    加湿フィルタ
６    加湿トレイ
７    回転軸
８    フィルタ収納室
９    ファン収納室
１０    タンク収納室
１１    フィルタ本体
１２    水掻き部
１３    回転駆動モータ
１４    水タンク
１５    ジョイント部
１６    止水弁
１８    シロッコファン
１９    ファンモータ
【図１】
2008064433.tif 000003
【図２】
2008064433.tif 000004
【図３】
2008064433.tif 000005